(57)【要約】【課題】  常時、カメラを安定的に動作させ、良好な撮影画像を得る。【解決手段】  シャッターボタンの半押しを確認し、測光・測距処理を実行後、設定された撮影モードをメモリから読出し（ステップＳ１０４）、その内容を確認する（ステップＳ１０６乃至Ｓ１１４）。そして、撮影モードに合わせた特殊機能を設定する（ステップＳ１１８、Ｓ１２２、Ｓ１２６、Ｓ１３０、Ｓ１３４）。例えば天体撮影モードが設定されていることが確認されたら（ステップＳ１０６）、冬季の夜間におけるバルブ露出での撮影に対応すべく、電池ヒータ及びレンズヒータの駆動、撮像素子の冷却装置の駆動が設定される（ステップＳ１１８）。【選択図】        図４
2006023622.tif 000002
【特許請求の範囲】
【請求項１】
被写体サイズと、被写体距離と、像倍率と、像面移動量と、シャッタースピードと、パン操作の有無と、三脚使用の有無の組合わせに基づいて分類される複数の撮影モードの中から選択された撮影モードを設定する撮影モード設定手段と、
前記撮影モード設定手段により設定された撮影モードに合わせてカメラの機能設定を最適化する最適化手段とを備えることを特徴とするカメラ。
【請求項２】
前記最適化手段は、前記撮影モードから想定される撮影時の気温に基づいて、カメラの安定的な動作が保証されるよう、電源供給手段及び撮影光学系の周辺温度の低下を抑制することを特徴とする請求項１に記載のカメラ。
【請求項３】
被写体の画像を取得するための固体撮像素子を備え、
前記最適化手段は、前記撮影モードから想定されるシャッタースピードに基づいて、前記固体撮像素子の冷却装置を制御することを特徴とする請求項１に記載のカメラ。
【請求項４】
前記最適化手段は、前記撮影モードから想定される撮影の時間帯に基づいて、適正な露光量が得られるようシャッタースピードおよび絞りの開放値を設定することを特徴とする請求項１に記載のカメラ。
【発明の詳細な説明】
【技術分野】
【０００１】
本発明は、撮影時のカメラ機能の設定に関する。
【背景技術】
【０００２】
従来、カメラには撮影者により設定可能な種々の機能が搭載されている。例えば、被写体の光量が不十分なときに補助光を供給するストロボ発光、寒冷な状況でもカメラに搭載された各電子部品を正常に動作させるためのヒーティング等である。
【特許文献１】特開平１１−３３８０２５号公報
【発明の開示】
【発明が解決しようとする課題】
【０００３】
カメラ機能の設定は、撮影時の条件に合わせて撮影者自身の操作により行われる。すなわち、どの機能をどのように作動させるかは、撮影者自身の判断に委ねられている。撮影者がカメラ撮影に熟練していれば、このような判断は適切に行われ、カメラ機能の設定は適切に行われる。しかし、撮影者が初心者の場合、種々の撮影条件に合わせて、設定すべき機能を判断し、速やかにカメラ機能の設定を行うことは非常に困難である。また熟練者であっても、設定すべき機能を失念するということもある。その結果、カメラの動作が安定しなかったり、良好な画質の写真が得られないといった問題が生じることがあった。
【０００４】
本発明は、以上の問題を解決するものであり、常時、カメラを安定的に動作させ、良好な画像を得ること目的とする。
【課題を解決するための手段】
【０００５】
本発明に係るカメラは、被写体サイズと、被写体距離と、像倍率と、像面移動量と、シャッタースピードと、パン操作の有無と、三脚使用の有無の組合わせに基づいて分類される撮影モードを設定する撮影モード設定手段と、撮影モード設定手段により設定された撮影モードに合わせてカメラの機能設定を最適化する最適化手段とを備えることを特徴とする。
【０００６】
最適化手段は、例えば、撮影モードから想定される撮影時の気温に基づき、カメラの安定的な動作が保証されるよう電源供給手段及び撮影光学系の周辺温度の低下を抑制する。
【０００７】
選択的に被写体の画像を取得するための固体撮像素子を備え、最適化手段は、撮影モードから想定されるシャッタースピードに基づいて、固体撮像素子の冷却装置を制御する。
【０００８】
最適化手段は、例えば、撮影モードから想定される撮影の時間帯に基づいて、適正な露光量が得られるようシャッタースピードおよび絞りの開放値を設定する。
【発明の効果】
【０００９】
本発明によれば、設定された撮影モードに応じてカメラ機能の最適化が図られる。従って、撮影者の熟練度等に左右されることなく、カメラを安定的に動作させ、良質の画像を得ることができる。
【発明を実施するための最良の形態】
【００１０】
図１は、本発明に係る実施形態が適用されるデジタルカメラ１の内部を模式的に示す図である。ＣＰＵ１０は、デジタルカメラ１全体を制御する例えばマイクロプロセッサである。電池９０はデジタルカメラ１に着脱自在にセットされる。電池９０の近傍には電池９０の周辺温度の低下を防止するための電池ヒータ９１が配設される。これにより、撮影時の気温が低温であっても、電池ヒータ９１を作動させることにより電池９０の正常な動作が保証される。撮影レンズ２６の近傍には撮影レンズ２６の周辺温度の低下を防止するためのレンズヒータ２７が配設される。これにより、撮影時の気温が低温であっても、レンズヒータ２７を作動させることにより撮影レンズ２６の表面における結露の発生が防止される。撮像素子２０の近傍には、例えばペルチェ素子を備える冷却装置２８が配設される。温度センサ９２はデジタルカメラ１の上部に配設される。ＣＰＵ１０は、温度センサ９２の検知結果に基づいて、電池ヒータ９１及びレンズヒータ２７の動作を制御する。また、デジタルカメラ１の上面にはデジタルカメラ１の筐体内に収納自在なストロボ９３が配設される。
【００１１】
図２はデジタルカメラ１のブロック図である。電源スイッチＳＷＭＡＩＮはデジタルカメラ１の筐体に設けられた電源ボタン（図示せず）の操作によりオン・オフが制御される。電源スイッチＳＷＭＡＩＮがオンすると電池９０からＣＰＵ１０に電力が供給される。
【００１２】
測光スイッチＳＷＳは筐体のシャッターボタン（図示せず）が半押しされるとオンする。測光スイッチＳＷＳがオンすると、ＣＰＵ１０は測光処理及び測距処理を実行する。すなわち、測光装置１１からの入力に基づいて露光値を演算し、この露光値に基づき撮影に必要となる絞り値、シャッタースピード、及び撮像素子２０の電荷蓄積時間を演算する。また、測距装置１２からの入力に基づいてフォーカシングレンズ（図示せず）の駆動量を演算し、フォーカス駆動回路２１に制御信号を出力する。それに応じてフォーカス駆動回路２１からフォーカシングレンズへ駆動信号が出力される。
【００１３】
レリーズスイッチＳＷＲはシャッターボタンが全押しされるとオンする。レリーズスイッチＳＷＲがオンすると、測光処理で算出した絞り値に応じて絞り駆動機構（図示せず）及びシャッター（図示せず）の駆動量がＣＰＵ１０により演算される。演算結果に基づいてＣＰＵ１０から絞り駆動回路２２及びシャッター駆動回路２３へ制御信号が出力される。絞り駆動回路２２から駆動信号が絞り駆動機構（図示せず）へ出力され、それにより絞り駆動機構が駆動される。絞り駆動機構が駆動されるとその動きは絞り（図示せず）に伝達され、絞りの開口径が所定の大きさに定められる。また、シャッター駆動回路２３から駆動信号がシャッターへ出力され、それによりシャッターが所定時間開放される。以上の制御により撮影レンズ２６を通過した光が撮像素子２０の受光面に入射する。
【００１４】
また、上述の電荷蓄積時間に基づいて撮像素子駆動回路２４へ制御信号が出力され、撮像素子駆動回路２４から撮像素子２０へ駆動信号が出力される。撮像素子２０は、受光領域に結像された被写体の光学像を光電変換し、アナログ画像信号を出力する。アナログ画像信号はＡ/Ｄ変換回路２５でデジタル画像信号へ変換され、ＣＰＵ１０へ入力される。
【００１５】
デジタル画像信号はＣＰＵ１０の制御に基づいて所定の画像処理が施される。ＤＲＡＭ３０には、画像処理の過程において画像データが一時的に格納される。所定の画像処理が施された画像データは、カメラ本体の背面に設けられたＬＣＤ３１に表示される。
【００１６】
ＥＥＰＲＯＭ３２には、カメラを動かすための各種プログラム等が格納される。また、被写体の光量が不十分なときは、ＣＰＵからフラッシュ回路３３へ駆動信号が出力され、ストロボ９３からフラッシュ光が供給される。
【００１７】
Ｘ軸ジャイロセンサ出力系統のＸ軸ジャイロセンサ４０Ｘは、カメラ光軸に垂直な面上のＸ軸周りの回転角速度に比例した電圧を出力する。Ｘ軸ジャイロセンサ４０Ｘは、切換スイッチ５０Ｘを介して、第一のＢＰＦ（バンドパスフィルタ）５１Ｘ、第二のＢＰＦ５２Ｘ、第三のＢＰＦ５３Ｘ、第四のＢＰＦ５４Ｘ、若しくは第五のＢＰＦ５５Ｘのいずれかに接続可能である。
【００１８】
図３は、各ＢＰＦにより抽出される周波数帯域を示すグラフである。第一のＢＰＦ５１Ｘは３０Ｈｚ近傍の高周波成分（カーブＣ１）を抽出する。第二のＢＰＦ５２Ｘは３０Ｈｚ近傍の高周波成分を中心に２０Ｈｚ近傍の中周波成分まで（カーブＣ２）を抽出する。第三のＢＰＦ５３Ｘは２０Ｈｚ近傍の中周波帯域を中心に３０Ｈｚ近傍の高周波成分まで（カーブＣ３）を抽出する。第四のＢＰＦ５４Ｘは２０Ｈｚ近傍の中周波成分を中心に１０Ｈｚ近傍の低周波成分まで（カーブＣ４）を抽出する。第五のＢＰＦ５５Ｘは１０Ｈｚ近傍の低周波成分（カーブＣ５）を抽出する。すなわち、切換スイッチ５０Ｘを制御することにより、Ｘ軸ジャイロセンサ４０Ｘの出力電圧から所定の周波数成分を抽出することができる。
【００１９】
Ｙ軸ジャイロセンサ出力系統のＹ軸ジャイロセンサ４０Ｙは、カメラ光軸に垂直な面上においてＸ軸に直交するＹ軸周りの回転角速度に比例した電圧を出力する。Ｙ軸ジャイロセンサ４０Ｙは切換スイッチ５０Ｙを介して、第一のＢＰＦ５１Ｙ、第二のＢＰＦ５２Ｙ、第三のＢＰＦ５３Ｙ、第四のＢＰＦ５４Ｙ、若しくは第五のＢＰＦ５５Ｙのいずれかに接続可能である。
【００２０】
第一のＢＰＦ５１Ｙは第一のＢＰＦ５１Ｘと同様、３０Ｈｚ近傍の高周波成分を抽出する。第二のＢＰＦ５２Ｙは第二のＢＰＦ５２Ｘと同様、３０Ｈｚ近傍の高周波成分を中心に２０Ｈｚ近傍の中周波成分までを抽出する。第三のＢＰＦ５３Ｙは第三のＢＰＦ５３Ｘと同様、２０Ｈｚ近傍の中周波成分を中心に３０Ｈｚ近傍の高周波成分までを抽出する。第四のＢＰＦ５４Ｙは第四のＢＰＦ５４Ｘと同様、２０Ｈｚ近傍の中周波成分を中心に１０Ｈｚ近傍の低周波成分までを抽出する。第五のＢＰＦ５５Ｙは第五のＢＰＦ５５Ｘと同様、１０Ｈｚ近傍の低周波成分を抽出する。すなわち、切換スイッチ５０Ｙを制御することにより、Ｙ軸ジャイロセンサ４０Ｙの出力電圧から所定の周波数成分を抽出することができる。
【００２１】
Ｘ軸ジャイロセンサ出力系統の第一〜第五のＢＰＦ５１Ｘ、５２Ｘ、５３Ｘ、５４Ｘ、５５Ｘ、及びＹ軸ジャイロセンサ出力系統の第一〜第五のＢＰＦ５１Ｙ、５２Ｙ、５３Ｙ、５４Ｙ、５５Ｙは手ぶれ補正演算回路７０に接続されている。第一〜第五のＢＰＦ５１Ｘ〜５５Ｘのうち切換スイッチ５０Ｘを介して接続されたＢＰＦにより所定の周波数成分が抽出されたＸ軸ジャイロセンサ４０Ｘの出力電圧が、手ぶれ補正演算回路７０に印可される。同様に、第一〜第五のＢＰＦ５１Ｙ〜５５Ｙのうち切換スイッチ５０Ｙを介して接続されたＢＰＦにより所定の周波数成分が抽出されたＹ軸ジャイロセンサ４０Ｙの出力電圧が、手ぶれ補正演算回路７０に印可される。手ぶれ補正演算回路７０では、入力電圧に基づいてＸ軸及びＹ軸周りの角速度の積分処理が行われる。その結果、カメラの所定のＸ軸及びＹ軸周りの変位、すなわち位置情報の変化が演算される。これにより、カメラのＸ軸及びＹ軸周りのぶれ量が算出される。
【００２２】
さらに、手ぶれ補正演算回路７０では算出されたぶれ量を相殺するための撮像素子２０の駆動データを演算する。駆動データは、撮影レンズ２６の光軸に垂直な面内に沿った駆動方向及び駆動量である。算出された駆動データは手ぶれ補正機構８０へ出力される。撮像素子２０は手ぶれ補正機構８０により撮影レンズ２６の光軸に垂直な面内に沿って移動される。
【００２３】
ＣＰＵ１０は、温度センサ９２の検知結果に基づいて、電池ヒータ９１及びレンズヒータ２７の動作を制御する。温度センサ９２により撮影時の気温が所定の閾値より低温であることが検知されると、電池ヒータ９１及びレンズヒータ２７が駆動される。その結果、電池９０及び撮影レンズ２６の周辺温度が適温に保たれ、電池９０の正常な動作が保証され、撮影レンズ２６の表面における結露の発生が防止される。また、ＣＰＵ１０は、撮像素子２０の電荷蓄積時間に応じて冷却装置２８の動作を制御する。撮像素子２０の電荷蓄積時間が相対的に長い場合、連続通電により撮像素子２０の温度が上昇し、暗電流ノイズが増加することがある。従って、電荷蓄積時間が所定の閾値より長いとき、ＣＰＵ１０は冷却装置２８を駆動し、撮像素子２０の温度上昇を抑制する。
【００２４】
図４は、本実施形態における撮影の処理手順を示すフローチャートである。ステップＳ１００においてスイッチＳＷＳの状態をチェックし、デジタルカメラ１の筐体に設けられたシャッターボタンが半押しされているか判断する。シャッターボタンが半押しされてスイッチＳＷＳがオンしていることが確認されたらステップＳ１０２へ進む。ステップＳ１０２では、測光処理及び測距処理が実行される。
【００２５】
次いでステップＳ１０４において、撮影者により設定された撮影モードの読取りが行われる。本実施形態では、「天体撮影モード」「鳥撮影モード」「電車撮影モード」「人物撮影モード」「夜景撮影モード」の５つの撮影モードの設定が可能である。撮影モードの設定は、デジタルカメラ１の筐体に設けられた操作ダイヤルを適宜操作することにより設定され、その設定内容はＣＰＵ１０内のメモリに格納される。ステップＳ１０６〜Ｓ１１４において、設定されている撮影モードがチェックされる。
【００２６】
ステップＳ１０６において、撮影モードが「天体撮影モード」であることが確認されたら、ステップＳ１１６へ進む。天体撮影の被写体は星である。従って、被写体サイズは小さく、被写体距離は遠く、像倍率は低く、像面移動量は小さい。また、天体撮影の場合、通常は三脚を用いてバルブ露出により撮影され、急なカメラ移動は無い。従って、像ぶれ補正処理においては、高周波のぶれを補正すればよい。そこで、ステップＳ１１６では、、Ｘ軸ジャイロセンサ４０Ｘが第一のＢＰＦ５１Ｘに接続され、Ｙ軸ジャイロセンサ４０Ｙが第一のＢＰＦ５１Ｙに接続されるよう、切換スイッチ５０Ｘ及び５０Ｙが制御される。その結果、ジャイロセンサ４０Ｘ及び４０Ｙの出力電圧において３０Ｈｚ近傍の高周波数成分のみが抽出され、手ぶれ補正演算回路７０へ入力される。
【００２７】
次いで、ステップＳ１１８へ進む。天体撮影をするとき、一般的に冬季の夜間が撮影に適した環境である。換言すれば、撮影モードとして「天体撮影」が設定されているときは、冬季の夜間でデジタルカメラ１が使用されると推定できる。そこで、ステップＳ１１８の特殊機能設定１の処理では、通常は温度センサ９２の検知結果に基づいて動作が制御される電池ヒータ９１、レンズヒータ２７を、強制的に駆動させる。また、冷却装置２８の駆動も行う。電池ヒータ９１の駆動により電池９０が冷えて不活性化することが防止され、レンズヒータ２７の駆動により撮影レンズ２６の曇りや凍結が防止される。また、冷却装置２８の駆動により長時間露光による撮像素子２０の温度上昇が抑えられ、その結果暗電流ノイズの増加が防止される。尚、電池ヒータ９１、レンズヒータ２７に代えて、冷却装置２８の駆動に伴う放出熱を電池９０及び撮影レンズ２６のヒータに代用してもよい。
【００２８】
さらに、ステップＳ１１８では、Ｓ／Ｎ比向上のための画像加算処理が行われる。画像に生じる熱雑音ノイズはランダムに画像中に生じる性質があるため、固定雑音ノイズに比べると予めノイズを相殺するような処理ができない。そこで被写体の移動が画像中で有意な量とならない速度で画像取得を繰り返し加算することで、一定の位置に得られる信号成分を強化し相対的にノイズ成分を減少させる。
【００２９】
ステップＳ１０８において、撮影モードが「鳥撮影モード」であることが確認されたら、ステップＳ１２０へ進む。被写体が鳥であるため、一般的に被写体サイズは小さく、被写体距離は遠く、像倍率は高く、像面移動量は大きい。また、鳥撮影の場合、通常は三脚は用いずシャッタースピードを高速にして撮影され、飛ぶ鳥を追従すべく急なカメラ移動もよく行われる。従って、像ぶれ補正処理においては、高周波を中心に中周波のぶれを補正すればよい。そこで、ステップＳ１２０では、Ｘ軸ジャイロセンサ４０Ｘが第二のＢＰＦ５２Ｘに接続され、Ｙ軸ジャイロセンサ４０Ｙが第二のＢＰＦ５２Ｙに接続されるよう、切換スイッチ５０Ｘ及び５０Ｙが制御される。その結果、ジャイロセンサ４０Ｘ及び４０Ｙの出力電圧において、３０Ｈｚ近傍の高周波を中心に２０Ｈｚ近傍の中周波までが抽出され、手ぶれ補正演算回路７０へ入力される。
【００３０】
次いで、ステップＳ１２２へ進む。鳥の撮影は屋外での撮影が基本である。そこで、ステップＳ１２２の特殊機能設定２の処理では電池ヒータ９１の駆動が強制的に行われる。電池ヒータ９１の駆動により、冬季での撮影であっても電池が冷えて不活性化することが防止される。また、像倍率が高くなる被写体距離範囲内で焦点調節が行われる。すなわち、撮影レンズ２６の移動範囲を限定し、ゾーンフォーカスを行うことでＡＦの合焦検索エリアを狭めて高速処理を可能にする。具体的には、野鳥の大きさ（例えば５０ｃｍ×７５ｃｍ）程度のエリアを撮影する倍率になるような距離でのＡＦに限定する。
【００３１】
ステップＳ１１０において、撮影モードが「電車撮影モード」であることが確認されたら、ステップＳ１２４へ進む。被写体が電車であるため、一般的に被写体サイズは大きく、被写体距離は遠く、像倍率は低く、像面移動量は小さい。また、電車撮影の場合、停車中の電車を撮影することが多いため、通常は三脚を用いて中速のシャッタースピードで撮影され、急なカメラ移動は行われない。従って、像ぶれ補正処理においては、中周波を中心に高周波のぶれを補正すればよい。そこで、ステップＳ１２４では、Ｘ軸ジャイロセンサ４０Ｘが第三のＢＰＦ５３Ｘに接続され、Ｙ軸ジャイロセンサ４０Ｙが第三のＢＰＦ５３Ｙに接続されるよう、切換スイッチ５０Ｘ及び５０Ｙが制御される。その結果、ジャイロセンサ４０Ｘ及び４０Ｙの出力電圧において、２０Ｈｚ近傍の中周波を中心に３０Ｈｚ近傍の高周波までが抽出され、手ぶれ補正演算回路７０へ入力される。
【００３２】
次いで、ステップＳ１２６へ進む。電車の撮影は屋外での撮影が基本である。そこで、ステップＳ１２６の特殊機能設定３の処理では電池ヒータ９１の駆動が強制的に行われる。電池ヒータ９１の駆動により、冬季での撮影であっても電池が冷えて不活性化することが防止される。また、像倍率が低くなる被写体距離範囲内で焦点調節が行われる。具体的には、撮影対象が電車であるため、上述の野鳥を撮影する場合と比べて広いエリア（例えば５ｍ×７．５ｍ）を撮影する位の倍率になるような距離でのＡＦに限定する。
【００３３】
ステップＳ１１２において、撮影モードが「人物撮影モード」であることが確認されたら、ステップＳ１２８へ進む。被写体が人物であるため、一般的に被写体サイズは大きく、被写体距離は近く、像倍率は低く、像面移動量は小さい。また、人物撮影の場合、通常は三脚を用いず、中速のシャッタースピードで撮影され、状況に応じて急なカメラ移動も行われる。従って、像ぶれ補正処理においては、中周波を中心に低周波のぶれを補正すればよい。そこで、ステップＳ１２８では、Ｘ軸ジャイロセンサ４０Ｘが第四のＢＰＦ５４Ｘに接続され、Ｙ軸ジャイロセンサ４０Ｙが第四のＢＰＦ５４Ｙに接続されるよう、切換スイッチ５０Ｘ及び５０Ｙが制御される。その結果、ジャイロセンサ４０Ｘ及び４０Ｙの出力電圧において、２０Ｈｚ近傍の中周波を中心に１０Ｈｚ近傍の低周波までが抽出され、手ぶれ補正演算回路７０へ入力される。
【００３４】
次いでステップＳ１３０へ進む。ステップＳ１３０の特殊機能設定４では、撮影をデーライトシンクロで行うモードが設定される。すなわち、デーライトシンクロにおける適正な露光量が得られるよう、シャッタースピード、絞りの開放値等が設定され、撮影時にストロボ９３が駆動されるよう制御される。
【００３５】
ステップＳ１１４において、撮影モードが「夜景撮影モード」であることが確認されたら、ステップＳ１３２へ進む。被写体が夜景であるため、一般的に被写体サイズは大きく、被写体距離は近く、像倍率は低く、像面移動量は小さい。また、景色の撮影であるため、通常は三脚を用いて、低速のシャッタースピードで撮影され、急なカメラ移動は行われない。従って、像ぶれ補正処理においては、低周波のぶれを補正すればよい。そこで、ステップＳ１３２では、Ｘ軸ジャイロセンサ４０Ｘが第五のＢＰＦ５５Ｘに接続され、Ｙ軸ジャイロセンサ４０Ｙが第五のＢＰＦ５５Ｙに接続されるよう、切換スイッチ５０Ｘ及び５０Ｙが制御される。その結果、ジャイロセンサ４０Ｘ及び４０Ｙの出力電圧において、１０Ｈｚ近傍の低周波が抽出され、手ぶれ補正演算回路７０へ入力される。
【００３６】
次いでステップＳ１３４へ進む。ステップＳ１３４の特殊機能設定５では、夜景撮影における適正な露光量が得られるよう、シャッタースピード、絞りの開放値等が設定され、撮影時にストロボ９３が駆動されるよう制御される。さらに、本ステップではＳ／Ｎ比向上のための上述と同様の画像加算処理が行われる。
【００３７】
以上のように、ステップＳ１１８、Ｓ１２２、Ｓ１２６、Ｓ１３０、及びＳ１３４において、撮影モードに合わせた特殊機能設定（電池ヒータ、レンズヒータ等の強制駆動、シンクロ撮影の設定等）が行われる。尚、これらの設定内容は使用者の好みや撮影状況に応じて使用者自身により変更可能である。例えば、天体撮影モードの場合であっても、夏季の夜間の撮影であれば電池ヒータ９１の駆動を停止する等の変更は可能である。
【００３８】
ステップＳ１１８、Ｓ１２２、Ｓ１２６、Ｓ１３０、若しくはＳ１３４において、各撮影モードに合わせた特殊機能の設定が行われたら、ステップＳ１３６へ進む。ステップＳ１３６では、レリーズスイッチＳＷＲの状態をチェックし、デジタルカメラ１の筐体に設けられたシャッターボタンが全押しされたか判断する。シャッターボタンが全押しされてレリーズスイッチＳＷＲがオンしていることが確認されたらステップＳ１３８へ進む。ステップＳ１３８では、ＣＰＵ１０から撮像素子駆動回路２４へ制御信号が出力され、撮像素子駆動回路２４から撮像素子２０へ駆動信号が出力される。その結果、撮像素子２０による撮影処理が行われる。ステップＳ１３６でシャッターボタンが全押しされていないことが確認された場合、ステップＳ１００へ戻り、上述の処理が繰り返される。
【００３９】
像ぶれ補正処理は、ステップＳ１１６、Ｓ１２０、Ｓ１２４、Ｓ１２８、若しくはＳ１３２で、Ｘ軸ジャイロセンサ４０Ｘ及びＹ軸ジャイロセンサ４０Ｙの出力に対する調整処理が実行され、ステップＳ１１８、Ｓ１２２、Ｓ１２６、Ｓ１３０、若しくはＳ１３４で特殊機能設定が実行された後、所定の時間間隔で繰り返し実行される。
【００４０】
尚、本実施形態は、撮像素子２０を移動させることにより手ぶれを相殺する構成を有しているが、これに限るものではない。撮影モードに基づくジャイロセンサ４０Ｘ及び４０Ｙの出力電圧からの抽出周波数の制御は、撮影レンズ２６の一部を構成する補正光学系を駆動することにより手ぶれを相殺するタイプのカメラにも適用可能である。
【００４１】
以上のように、本実施形態では、使用者により設定された撮影モードに合わせて、カメラ機能（各ヒータ、冷却装置の制御、ストロボ発光の制御等）が最適化される。従って、撮影者の技量や熟練度に左右されることなく各撮影モードに適した撮影が実行される。
【図面の簡単な説明】
【００４２】
【図１】本発明に係る実施形態が適用されるデジタルカメラの内部を模式的に示す図である。
【図２】デジタルカメラのブロック図である。
【図３】各ＢＰＦにより抽出される周波数帯域を示すグラフである。
【図４】撮影の処理手順を示すフローチャートである。
【符号の説明】
【００４３】
１０  ＣＰＵ
２０  撮像素子
２６  撮影レンズ
２７  レンズヒータ
２８  冷却装置
４０Ｘ  Ｘ軸ジャイロセンサ
４０Ｙ  Ｙ軸ジャイロセンサ
５０Ｘ、５０Ｙ  切換スイッチ
５１Ｘ、５１Ｙ  第一のＢＰＦ
５２Ｘ、５２Ｙ  第二のＢＰＦ
５３Ｘ、５３Ｙ  第三のＢＰＦ
５４Ｘ、５４Ｙ  第四のＢＰＦ
５５Ｘ、５５Ｙ  第五のＢＰＦ
９０  電池
９１  電池ヒータ
【図１】
2006023622.tif 000003
【図２】
2006023622.tif 000004
【図３】
2006023622.tif 000005
【図４】
2006023622.tif 000006